(57)【要約】 
【課題】  携帯電話機を携帯しないときに受容しておくことができ、携帯電話機を受容すると発光体が発光してスタンド本体を電飾することにより、携帯電話機を置いた場所を分かりやすくすることができる携帯電話機用スタンドを提供する。
【解決手段】  一般携帯電話機、簡易型携帯電話機等の携帯電話機１０を受容する携帯電話機用スタンドであって、スタンド本体１に、前記携帯電話機１０を受容する携帯電話機受容部２と、前記携帯電話機１０を受容すると発光する発光体３と、太陽電池パネル４を設けてある。
【選択図】    図１
0003101468.tif 000002
【実用新案登録請求の範囲】
【請求項１】
一般携帯電話機、簡易型携帯電話機等の携帯電話機を受容する携帯電話機用スタンドであって、スタンド本体に、前記携帯電話機を受容する携帯電話機受容部と、前記携帯電話機を受容すると発光する発光体と、太陽電池パネルを設けた携帯電話機用スタンド。
【請求項２】
前記太陽電池パネルによって充電される蓄電池又は蓄電器を設けた請求項１に記載の携帯電話機用スタンド。
【請求項３】
前記スタンド本体の少なくとも一部が透明又は半透明の材質からなり、前記発光体をスタンド本体の内部に設けた請求項１又は２に記載の携帯電話機用スタンド。
【請求項４】
前記発光体をスタンド本体の周囲に設けた請求項１又は２に記載の携帯電話機用スタンド。
【考案の詳細な説明】
【技術分野】
【０００１】
本考案は、一般携帯電話機、簡易型携帯電話機等の携帯電話機を受容する携帯電話機用スタンドに関する。
【背景技術】
【０００２】
従来、外出時には、携帯電話機を衣類のポケットに入れたり、鞄や携帯電話ホルダーに入れたりして携帯しているが、職場や自宅等では、携帯電話機を卓上や引き出し等の不特定の場所に置いている。この場合に、携帯電話機を卓上に立てておいておくことができる携帯電話機用スタンドは知られている（例えば、特許文献１，２参照）。
【０００３】
【特許文献１】登録実用新案第３０７０１５８号公報
【特許文献２】登録実用新案第３０７５５７１号公報
【考案の開示】
【考案が解決しようとする課題】
【０００４】
この携帯電話機用スタンドは、携帯電話機を置く場所を一箇所に特定するために、卓上等の一定箇所に置いておくものである。しかし、従来の携帯電話機用スタンドは、携帯電話機を受容する機能のみを有するものや、これにカレンダー機能を付加したのみのもの（特許文献１，２）であり、卓上を装飾する機能を有するものはなかった。
【課題を解決するための手段】
【０００５】
そこで、本考案は、上記課題を解決するために、一般携帯電話機、簡易型携帯電話機等の携帯電話機を受容する携帯電話機用スタンドであって、スタンド本体に、前記携帯電話機を受容する携帯電話機受容部と、前記携帯電話機を受容すると発光する発光体と、太陽電池パネルを設けた携帯電話機用スタンドを提供するものである。
【０００６】
また、本考案は、前記太陽電池パネルによって充電される蓄電池又は蓄電器を設けた請求項１に記載の携帯電話機用スタンドを提供するものである。
【０００７】
また、本考案は、前記スタンド本体の少なくとも一部が透明又は半透明の材質からなり、前記発光体をスタンド本体の内部に設けた請求項１又は２に記載の携帯電話機用スタンドを提供するものである。
【０００８】
また、本考案は、前記発光体をスタンド本体の周囲に設けた請求項１又は２に記載の携帯電話機用スタンドを提供するものである。
【考案の効果】
【０００９】
以上の通り、本考案に係る携帯電話機用スタンドによれば、一般携帯電話機、簡易型携帯電話機等の携帯電話機を受容する携帯電話機用スタンドであって、スタンド本体に、前記携帯電話機を受容する携帯電話機受容部と、前記携帯電話機を受容すると発光する発光体と、太陽電池パネルを設けた構成を有することにより、携帯電話機を携帯しないときには携帯電話機受容部に受容しておくことができ、携帯電話機を受容すると発光体が発光してスタンド本体を電飾することにより、携帯電話機を置いた場所を分かりやすくすることができる。また、太陽電池パネルにより発光体を発光させるから、電源又は電池を使用することなくスタンド本体を電飾することができる効果がある。
【００１０】
また、本考案は、前記太陽電池パネルによって充電される蓄電池又は蓄電器を設けた請求項１に記載の構成を有することにより、暗所のように太陽電池によって発電できないときでも、蓄電池又は蓄電器から供給される電気によって発光体を発光させて、スタンド本体を電飾することができる効果がある。
【００１１】
また、本考案は、前記スタンド本体の少なくとも一部が透明又は半透明の材質からなり、前記発光体をスタンド本体の内部に設けた請求項１又は２に記載の構成を有することにより、スタンド本体で透明又は半透明の材質からなる部分が内部に設けた発光体によって光るから、スタンド本体の一部又は全体を光らせることができる効果がある。
【００１２】
また、本考案は、前記発光体をスタンド本体の周囲に設けた請求項１又は２に記載の構成を有することにより、スタンド本体の周囲に設けた発光体によってスタンド本体を電飾することができる効果がある。
【考案を実施するための最良の形態】
【００１３】
本考案の実施の形態を図示する実施例に基づいて説明する。
本考案に係る携帯電話機用スタンドは、一般携帯電話機、簡易型携帯電話機等の携帯電話機１０を受容する携帯電話機用スタンドであって、スタンド本体１に、前記携帯電話機１０を受容する携帯電話機受容部２と、前記携帯電話機１０を受容すると発光する発光体３と、太陽電池パネル４を設けてある。
【実施例１】
【００１４】
図１及び図２に示す実施例において、スタンド本体１は、透明又は半透明の合成樹脂からなり、小屋型に形成してある。スタンド本体１の内部には、電球や発光ダイオード等の発光体３を設けてあり、スタンド本体１の屋根に設けた太陽電池パネル４によって発光体３を発光させて内側からスタンド本体１を照明することにより、スタンド本体１の全体が光るようにしてある。また、スタンド本体１は、一部を透明又は半透明の合成樹脂によって構成することにより、一部を光らせるようにすることもできる。
なお、発光体３は、実施例のようにスタンド本体１の内部に設ける場合に限らず、豆電球や発光ダイオードをスタンド本体１の周囲に設けた構成にすることもできる。
【００１５】
図２に示すように、携帯電話機受容部２は、スタンド本体１の屋根の一部を開口して箱状の受容部を形成してあり、携帯電話機１０を立てて置くことができるようにしてある。携帯電話機受容部２の底部２ａには、発光体３と太陽電池パネル４を接続する回路８を開閉操作するスイッチ機構５を設けてあり、このスイッチ機構５によって発光体３のＯＮ・ＯＦＦを制御するようにしてある。
【００１６】
スイッチ機構５は、底板６と、底板６を底部２ａに上下動自在に支持する支持軸７と、支持軸７の一端に設けたストッパー９と、底板６と底部２ａの間に設けたバネ１１とからなる。また、底部２ａには回路８の開放端子８ａ，８ｂを設けてあり、底板６の下側には導体１２を設けてある。
スイッチ機構５によって、携帯電話機受容部２に携帯電話機１０を受容していないときは、バネ１１によって底板６が押し上げられて導体１２と開放端子８ａ，８ｂは離れており（図２の実線で示す状態）、発光体３は発光しないようにしてある。一方、携帯電話機受容部２に携帯電話機１０を受容すると、バネ１１のバネ弾力に抗して底板６を押し下げられて、導体１２と開放端子８ａ，８ｂが接触して（図２の一点鎖線で示す状態）、回路８は閉じられて発光体３が発光するように構成してある。
【００１７】
なお、スイッチ機構５は、図示の実施例に限定されるものではなく、可撓性を有する樹脂により一体的に成形された押釦や、光センサー等によって発光体３のＯＮ・ＯＦＦを制御するようにすることもできる。
【００１８】
また、図示しないが、発光回路の一部には、太陽電池パネル４によって充電されるコンデンサー等の蓄電器又は蓄電池を設けて、夜間等の太陽電池パネル４が発電できないときでも蓄電器又は蓄電池により発光体３を発光させることができる構成にすることも勿論可能である。
【００１９】
また、図１に示すように、スタンド本体１には側面に開口部１３を設けてあり、キャラクターグッズやアクセサリー等の小物を置いて装飾することができるようにしてある。
【図面の簡単な説明】
【００２０】
【図１】本考案携帯電話機用スタンドの一実施例を示す斜視図
【図２】その一実施例を示す断面図
【符号の説明】
【００２１】
１  スタンド本体
２  携帯電話機受容部
２ａ  底部
３  発光体
４  太陽電池パネル
５  スイッチ機構
６  底板
７  支持軸
８  回路
８ａ，８ｂ  開放端子
９  ストッパー
１０  携帯電話機
１１  バネ
１２  導体
１３  開口部
【図１】
0003101468.tif 000003
【図２】
0003101468.tif 000004